(57)【特許請求の範囲】
【請求項１】
マンホール（１）の周壁に透設された取付孔（２）内に可撓性を有する管継手（４）の一部を嵌入し、前記管継手（４）の内周面に沿い該管継手（４）と同心円状に管継手用取付けリング（６）を拡張させて、前記管継手（４）の外周面と前記取付孔（２）の内面との密封を図るマンホール管継手用拡張リング（６０）であって、
前記マンホール管継手用拡張リング（６０）が、環状フープ体（３１）の円周長を略二等分又は三等分して、該環状フープ体（３１）から外方に放射状に突設した複数個の案内突起（６１）を具備して成ることを特徴とするマンホール管継手用拡張リング。
【請求項２】
前記案内突起（６１）が、前記取付孔（２）の周辺の前記マンホール（１）の内周壁面に当接して、前記取付孔（２）に対する前記管継手（４）の位置決め案内するような案内面（６２）を具備して成ることを特徴とする請求項１に記載のマンホール管継手用拡張リング。
【発明の詳細な説明】
【０００１】
【発明の属する技術分野】
本発明は、マンホールと接続管を接続する可撓性管継手に充分な水封性を付与する管継手用取付けリングを拡張する拡張リングに関するものである。
【０００２】
【従来の技術】
通常、排水等の配管系中に点在するマンホールは、上下流側配管がコンクリート製の周壁に透設した取付孔に対し、地震等の外力が加えられても破損、漏水しないように可撓性を有するゴム材等から成る可撓性管継手を介して接続されている。
図４は、接続が完了した状態のマンホールと接続管の要部断面図、図５は管継手用取付けリング６と該リング６を拡張する拡張リング３０及びリング拡張装置４０を示す正面図である。
【０００３】
従来の管継手用取付けリング６は、マンホール１の周壁に透設した取付孔２に可撓性を有する可撓性管継手４の一部を嵌入し、更に前記管継手４の内周面に沿い該管継手４と同心円状に前記管継手用取付けリング６を拡張することにより、該管継手４の外周面と前記取付孔２の内面間の密封化を図っていた。一方、前記管継手４の反マンホール側端部は、別の取付けリング５によってその外周面が該管継手４の内部に挿入された接続管３を緊縛するように締め付けられて、マンホール１に対する配管接続が完了するものであった。
【０００４】
前記管継手用取付けリング６は例えば、特開平１０−３７３７８９号公報に開示されているように、フランジ部８をその円周端縁に沿って一体的に形成し、更に前記拡張後の両端末部７ａ，７ｂの係止を可能にするに足るオーバーラップ領域ＯＬを有して環状に形成されたフープ部７から成り、更に、前記オーバーラップ領域ＯＬにおける前記フープ部７の内周側端末部７b 及びその近傍は、前記フランジ部８を除去して前記フープ部７の外周側端末部７ａにおけるフランジ部８との当接を回避する一方、前記内周側端末部７b 近傍の内周面上に複数個のラチェット状の爪部９を配設して、前記フープ部７の外周側端末部７ａの両内側壁間に架橋された爪受部１０に前記爪部９が逆止的に係止可能に形成されていた。
【０００５】
一方、従来のリング拡張装置４０は、ビーム部４１、該ビーム部４１の長手方向に沿い夫々第１枢軸４４及び第２枢軸４５を介して揺動自在に吊持された第１脚部４２及び第２脚部４３と、前記第１脚部４２の第１支軸４６及び前記第２脚部４３の第２支軸４７間を通り前記ビーム部４１に略平行するように延在して前記両脚部４２，４３を脚部揺動スパーンＳＷに沿って揺動拡張させる拡張ねじ部４８と、前記両脚部４２，４３の各下方端部４２ａ，４３ａに配設した第１及び第２係止爪部５０，５１とを具備して成っていた。なお、５０ａはボルト貫通孔である。
【０００６】
また、従来の拡張リング３０は、環状フープ体の両端末部に前記リング拡張装置４０の前記第１及び第２係止爪部５０，５１を係合可能な各係止爪受容部３５，３６を具備し、一方の係止爪受容部３５の側壁には前記第１係止爪部５０の前記ボルト貫通孔５０ａと同一軸芯にボルト貫通孔３５ａを透設し、必要に応じて前記第１係止爪部５０を予め前記係止爪受容部３５に固定可能にしていた。
なお、前記管継手用取付けリング６の拡張操作を容易にするために、前記各係止爪受容部３５，３６の近傍に各拡張ハンドル３８，３９を配設することが好ましい。更に、前記拡張リング３０は、前記各係止爪受容部３５、３６の何れか一方をヒンジ部３７によって旋回自在に軸支することにより、前記拡張リング３０の口径を一層縮小させていた。
【０００７】
更に、前記一方の係止爪受容部３６は、図６に拡大して示したように、前記環状フープ体の大部分を占めるフープ部３１の一方端部３１ａ近傍の内周面上に溶接された固定フープ部３３に対し、前記ヒンジ部３７を介して矢印ＣＣ方向に旋回自在に軸支された旋回フープ部３４の一方端部３４ａ寄りの内周面上に保持される。なお、前記拡張ハンドル３９は、前記固定フープ部３３の上面に取り付けられた前記ヒンジ部３７の部材上に配設され、手動操作が可能な長さを以て前記固定フープ部３３から幅方向に延伸していた。
前記他方の係止爪受容部３５は、前記フープ部３１の他方端部３１ｂ近傍の内周面上に溶接された固定フープ部３２の他方端部３２ｂ寄りの内周面上に保持される。前記拡張ハンドル３８は、前記他方の係止爪受容部３５の後部に配設される。なお、前記固定フープ部３２の一方端部３２ａの近傍は、前記フープ部３１の他方端部３１ｂの厚さだけ上方に位置して、前記複数個のラチェット状の爪部９との接触を回避していた。
【０００８】
以上のように構成された従来のリング拡張装置４０は先ず、拡張始動段階で前記拡張リング３０の前記各拡張ハンドル３８，３９によって自然状態にある前記拡張リング３０の口径を一旦前記管継手用取付けリング６の口径以下に手動で縮小させて、前記拡張リング３０を前記管継手用取付けリング６の口径内へ挿着した後、前記リング拡張装置４０本体の前記拡張ねじ部４８のナット部４９をスパナ等の治具を利用して回動し、前記第１及び第２脚部４２，４３を前記脚部揺動スパーンＳＷに沿って揺動拡張させた。
前記両脚部４２，４３の各下方端部４２ａ，４３ａに配設した前記第１及び第２係止爪部５０，５１が前記拡張リング３０の前記各係止爪受容部３５，３６における各凹部に嵌入し、更に前記拡張ねじ部４８の回動を継続すると、やがて前記環状のフープ部３１の外周面が、前記管継手用取付けリング６の内周面の略全周域に略同等の拡張力を以て当接して前記管継手用取付けリング６を所定の口径まで拡張させた。
【０００９】
【発明が解決しようとする課題】
しかしながら、前記拡張リング３０及びリング拡張装置４０は、前記マンホール１の前記取付孔２と前記管継手４との口径寸法差が比較的大きな場合、リング拡張操作の初期段階で前記管継手が動き易く、その結果、前記管継手４の外周面と前記取付孔２の内面間の密封性に著しい低下を招くことがあった。
【００１０】
本発明は、前述した従来技術の問題点を解消し、マンホール取付孔と管継手との口径寸法差が比較的大きくても確実に対応し、取付け操作が容易なマンホール管継手用拡張リングを提供することを目的とするものである。
【００１１】
【課題を解決するための手段】
本発明のかかる目的は、マンホールの周壁に透設された取付孔内に可撓性を有する管継手の一部を嵌入し、前記管継手の内周面に沿い該管継手と同心円状に管継手用取付けリングを拡張させて、前記管継手の外周面と前記取付孔の内面との密封を図るマンホール管継手用拡張リングであって、前記マンホール管継手用拡張リングが、環状フープ体の円周長を略二等分又は三等分して、該環状フープ体から外方に放射状に突設した複数個の案内突起を具備して成ることを特徴とするマンホール管継手用拡張リングによって達成される。
【００１２】
更に、本発明のかかる目的は、前記案内突起が、前記取付孔の周辺の前記マンホールの内周壁面に当接して、前記取付孔に対する前記管継手の位置決め案内するような案内面を具備して成ることを特徴とするマンホール管継手用拡張リングによって達成される。
【００１３】
【作用】
本発明のマンホール管継手用拡張リングは、マンホールの周壁に透設された取付孔内に可撓性を有する管継手の一部を嵌入し、前記管継手の内周面に沿い該管継手と同心円状に管継手用取付けリングを拡張させて、前記管継手の外周面と前記取付孔の内面との密封を図るマンホール管継手用拡張リングであって、前記拡張リングが、環状フープ体の円周長を略二等分又は三等分して、該環状フープ体から外方に放射状に突設した複数個の案内突起を具備して成るので、該複数個の案内突起によって前記管継手が前記取付孔の口径に対して所定の位置に位置決めされる。
【００１４】
特に、本発明のマンホール管継手用拡張リングは、前記案内突起が、前記取付孔の周辺の前記マンホールの内周壁面に当接して、前記取付孔に対する前記管継手の位置決め案内するような案内面を具備して成るので、前記管継手が、該複数個の案内突起によって前記取付孔の口径に対して前後左右にずれることを阻止される。
【００１５】
【発明の実施の形態】
本発明のマンホール管継手用拡張リングの一実施態様について、添付した図面に基づき以下に詳述する。なお、前述した従来の管継手用取付けリングと共通する部材については、同一の符号を用いて説明する。
図１は、マンホール管継手用拡張リング６０の拡張操作の始動直前にある正面図、図２はマンホール管継手用拡張リング６０の拡張操作の始動直前にある側面図、図３は本発明の他のマンホール管継手用拡張リング６０の拡張操作の始動直前にある側面図である。
【００１６】
本発明のマンホール管継手用拡張リング６０が対象とする管継手用取付けリング６も前述した従来の管継手用取付けリング６と同様に、マンホール１の周壁に透設された取付孔２内に可撓性を有する管継手４の一部を嵌入し、前記管継手４の内周面に沿い該管継手４と同心円状に拡張することにより、前記管継手４の外周面と前記取付孔２の内面間の密封化を図るものである。
更に、前記管継手用取付けリング６は、フランジ部８をその円周端縁に沿って一体的に形成し、更に前記拡張後の両端末部７ａ，７ｂの係止を可能にするに足るオーバーラップ領域ＯＬを有して環状に形成されたフープ部７から成り、更に、前記オーバーラップ領域ＯＬにおける前記フープ部７の内周側端末部７b 及びその近傍は、前記フランジ部８を除去して前記フープ部７の外周側端末部７ａにおけるフランジ部８との当接を回避する一方、前記内周側端末部７b 近傍の内周面上に複数個のラチェット状の爪部９を配設して、前記フープ部７の外周側端末部７ａの両内側壁間に架橋された爪受部１０に前記爪部９が逆止的に係止可能に形成される。
【００１７】
一方、本発明に係わるリング拡張装置４０も、ビーム部４１、該ビーム部４１の長手方向に沿い夫々第１枢軸４４及び第２枢軸４５を介して揺動自在に吊持された第１脚部４２及び第２脚部４３と、前記第１脚部４２の第１支軸４６及び前記第２脚部４３の第２支軸４７間を通り前記ビーム部４１に略平行するように延在して前記両脚部４２，４３を脚部揺動スパーンＳＷに沿って揺動拡張させる拡張ねじ部４８と、前記両脚部４２，４３の各下方端部４２ａ，４３ａに配設した第１及び第２係止爪部５０，５１とを具備して成る。なお、５０ａはボルト貫通孔である。
【００１８】
また、本発明のマンホール管継手用拡張リング６０は、環状フープ体の両端末部に前記リング拡張装置４０の前記第１及び第２係止爪部５０，５１を係合可能な各係止爪受容部３５，３６を具備し、一方の係止爪受容部３５の側壁には前記第１係止爪部５０の前記ボルト貫通孔５０ａと同一軸芯にボルト貫通孔３５ａを透設し、必要に応じて前記第１係止爪部５０を予め前記係止爪受容部３５に固定可能にする。
更に、本発明のマンホール管継手用拡張リング６０は、前記環状フープ体３１の円周長を略二等分又は三等分して、該環状フープ体３１から外方に放射状に突設した複数個の案内突起６１を具備して成るので、該複数個の案内突起６１によって前記管継手４が前記取付孔２の口径に対して所定の位置に位置決めされる。
【００１９】
特に、本発明のマンホール管継手用リング拡張装置６０は、前記案内突起６１が、前記取付孔２の周辺の前記マンホール１の内周壁面に当接して、前記取付孔２に対する前記管継手４の位置決め案内するような案内面６２を具備して成るので、該複数個の案内突起６２によって前記管継手４が前記取付孔２の口径に対して前後左右にずれることを阻止される。
なお、前記管継手用取付けリング６の拡張操作を容易にするために、前記各係止爪受容部３５，３６の近傍に各拡張ハンドル３８，３９を配設することが好ましい。更に、前記拡張リング６０は、前記各係止爪受容部３５、３６の何れか一方をヒンジ部３７によって旋回自在に軸支することにより、前記拡張リング６０の口径を一層縮小させることもできる。
【００２０】
更に、前記一方の係止爪受容部３６は、図６に拡大して示したように、前記環状フープ体の大部分を占めるフープ部３１の一方端部３１ａ近傍の内周面上に溶接された固定フープ部３３に対し、前記ヒンジ部３７を介して矢印ＣＣ方向に旋回自在に軸支された旋回フープ部３４の一方端部３４ａ寄りの内周面上に保持される。なお、前記拡張ハンドル３９は、前記固定フープ部３３の上面に取り付けられた前記ヒンジ部３７の部材上に配設され、手動操作が可能な長さを以て前記固定フープ部３３から幅方向に延伸する。
【００２１】
前記他方の係止爪受容部３５は、前記フープ部３１の他方端部３１ｂ近傍の内周面上に溶接された固定フープ部３２の他方端部３２ｂ寄りの内周面上に保持される。前記拡張ハンドル３８は、前記他方の係止爪受容部３５の後部に配設される。なお、前記固定フープ部３２の一方端部３２ａの近傍は、前記フープ部３１の他方端部３１ｂの厚さだけ上方に位置して、前記複数個のラチェット状の爪部９との接触を回避している。
【００２２】
以上のように構成される本発明のリング拡張装置４０は先ず、拡張始動段階で前記拡張リング６０の前記各拡張ハンドル３８，３９によって自然状態にある前記拡張リング６０の口径を一旦前記管継手用取付けリング６の口径以下に手動で縮小させて、前記拡張リング３０を前記管継手用取付けリング６の口径内へ挿着した後、前記リング拡張装置４０本体の前記拡張ねじ部４８のナット部４９をスパナ等の治具を利用して回動し、前記第１及び第２脚部４２，４３を前記脚部揺動スパーンＳＷに沿って揺動拡張させる。
前記両脚部４２，４３の各下方端部４２ａ，４３ａに配設した前記第１及び第２係止爪部５０，５１が前記拡張リング３０の前記各係止爪受容部３５，３６における各凹部に嵌入し、更に前記拡張ねじ部４８の回動を継続すると、やがて前記環状のフープ部３１の外周面が、前記管継手用取付けリング６の内周面の略全周域に略同等の拡張力を以て当接して前記管継手用取付けリング６を所定の口径まで拡張させる。
【００２３】
更に、前記管継手用取付けリング６の本発明の口径が比較的小さい場合、前記一方の係止爪受容部３６を前記ヒンジ部３７を中心にして旋回、折り畳んで、前記拡張リング６０の実質的な周長を短縮させた後、前記拡張ハンドル３８，３９で前記拡張リング６０の口径の縮小化を図る。
なお、本発明に基づく前記拡張リング６０は、前記各係止爪受容部３５，３６の何れか一方を前記ヒンジ部３７によって旋回自在に軸支すれば良いが、前記各係止爪受容部３５，３６を夫々旋回自在に形成しても何等不都合が生じない。
【００２４】
【発明の効果】
以上、記述した本発明のリング拡張装置は、次に記すような新規な効果を奏するものである。即ち、本発明の拡張リングは、前記環状フープ体の円周長を略二等分又は三等分して、該環状フープ体から外方に放射状に突設した前記複数個の案内突起を具備して成るので、該複数個の案内突起によって前記管継手を前記取付孔の口径に対して所定の位置に位置決めすることが可能になった。
【００２５】
更に、本発明の拡張リングは、前記案内突起が前記取付孔の周辺の前記マンホールの内周壁面に当接して、前記取付孔に対する前記管継手の位置決め案内するような前記案内面を具備して成るので、該複数個の案内突起によって前記管継手が前記取付孔の口径に対して前後左右にずれることを阻止される。
【図面の簡単な説明】
【図１】マンホール管継手用拡張リングの拡張操作の始動直前にある本発明の拡張リングの正面図である。
【図２】マンホール管継手用拡張リングの始動直前にある本発明の拡張リングの側面図である。
【図３】マンホール管継手用拡張リングの拡張操作の始動直前にある本発明の他の拡張リングの側面図である。
【図４】接続が完了した状態のマンホールと接続管の要部断面図である。
【図５】マンホール管継手用拡張リングの拡張操作の始動直前にある従来の拡張リングの正面図である。
【図６】従来の拡張リングの一方の係止爪受容部及びその周辺を示した斜視図である。
【符号の説明】
１    マンホール
２    取付孔
３    接続管
４    管継手
５    別の取付けリング
６    管継手用取付けリング
７    フープ部
８    フランジ部
９    爪部
10    爪受部
11    拡張脚受部
12    拡張脚受部
OL    オーバーラップ領域
13    従来の取付けリング拡張装置
14    ビーム部
15    第１脚部
16    第２脚部
17    第１枢軸
18    第２枢軸
19    滑動ねじ部
20    拡張ねじ部
21    第１支軸
22    第２支軸
SL    脚部滑動スパーン
SW    脚部揺動スパーン
30    従来の拡張リング
31    フープ部
32    固定フープ部
33    固定フープ部
34    旋回フープ部
35    係止爪受容部
36    係止爪受容部
37    ヒンジ部
38    拡張ハンドル
39    拡張ハンドル
40    リング拡張装置
41    ビーム部
42    第１脚部
43    第２脚部
44    第１枢軸
45    第２枢軸
46    第１支軸
47    第２支軸
48    拡張ねじ部
49    ナット部
50    第１係止爪部
51    第２係止爪部
60    本発明のマンホール管継手用拡張リング
61    案内突起
62    案内面
【図１】
0003821599.tif 000002
【図２】
0003821599.tif 000003
【図３】
0003821599.tif 000004
【図４】
0003821599.tif 000005
【図５】
0003821599.tif 000006
【図６】
0003821599.tif 000007